(57)【要約】      （修正有）【課題】外郭の変形を抑制した加熱調理器を提供する。【解決手段】加熱調理器は、上部が開口した箱体形状の本体ケース２０と、本体ケースの上部を覆う天板と、天板の下方に配置され、天板に載置された被加熱容器を加熱する加熱部１と、本体ケースの後方の内側の隅部に設けられているＬ字形状の補強板３０ａ、３０ｂと、を備えたものである。【選択図】図２
2019074294.tif 000002
【特許請求の範囲】
【請求項１】
上部が開口した箱体形状の本体ケースと、
前記本体ケースの上部を覆う天板と、
前記天板の下方に配置され、前記天板に載置された被加熱容器を加熱する加熱部と、
前記本体ケースの後方の内側の隅部に設けられているＬ字形状の補強板と、を備えた
加熱調理器。
【請求項２】
前記天板は、
前方に引っ掛け部が設けられており、後方に天板側ネジ穴が設けられており、
前記本体ケースは、
前側部の上端部に前フランジが設けられており、後側部の上端部にネジ穴を有する後フランジが設けられており、
前記天板は、
前記引っ掛け部が前記前フランジに引っ掛けられ、前記天板側ネジ穴を介して前記後フランジの前記ネジ穴にネジ止めされることによって、前記本体ケースに取り付けられる
請求項１に記載の加熱調理器。
【請求項３】
前記補強板の上面は、鉛直方向に対して前記後フランジの上面と同じ位置である
請求項２に記載の加熱調理器。
【請求項４】
前記本体ケースの側部の内側には、平面視して凹形状の受け部が設けられており、
前記補強板を正面視した状態において、
前記補強板の下端部には、下方に突出し、前記受け部の開口に挿入される鉤部が設けられている
請求項１〜３のいずれか一項に記載の加熱調理器。
【請求項５】
前記補強板を２つ備え、
前記本体ケースを正面視した状態において、
前記受け部は、前記本体ケースの左側部の後方、前記本体ケースの後側部の左側、前記本体ケースの後側部の右側、および、前記本体ケースの右側部の後方に、それぞれ設けられており、
前記補強板を正面視した状態において、
一方の前記補強板は、前記本体ケースの左側部の後方の前記受け部に挿入される前記鉤部と、前記本体ケースの後側部の左側の前記受け部に挿入される前記鉤部と、を備え、
他方の前記補強板は、前記本体ケースの後側部の右側の前記受け部に挿入される前記鉤部と、前記本体ケースの右側部の後方の前記受け部に挿入される前記鉤部と、を備えている
請求項４に記載の加熱調理器。
【請求項６】
前記本体ケースの側部には、ケース側部ネジ穴が設けられており、
前記補強板には、仮合わせ用ネジ穴が設けられており、
前記補強板は、
前記仮合わせ用ネジ穴を介して前記ケース側部ネジ穴にネジ止めされる
請求項１〜３のいずれか一項に記載の加熱調理器。
【請求項７】
前記補強板を２つ備え、
前記本体ケースを正面視した状態において、
前記ケース側部ネジ穴は、前記本体ケースの左側部の後方、前記本体ケースの後側部の左側、前記本体ケースの後側部の右側、および、前記本体ケースの右側部の後方に、それぞれ設けられており、
前記補強板を正面視した状態において、
一方の前記補強板は、前記本体ケースの左側部の後方の前記ケース側部ネジ穴と重なり合う前記仮合わせ用ネジ穴と、前記本体ケースの後側部の左側の前記ケース側部ネジ穴と重なり合う前記仮合わせ用ネジ穴と、を備え、
他方の前記補強板は、前記本体ケースの後側部の右側の前記ケース側部ネジ穴と重なり合う前記仮合わせ用ネジ穴と、前記本体ケースの右側部の後方の前記ケース側部ネジ穴と重なり合う前記仮合わせ用ネジ穴と、を備えている
請求項６に記載の加熱調理器。
【請求項８】
前記本体ケースを正面視した状態において、
前記本体ケースの左側部および前記本体ケースの右側部の後方の端部には、合わせ面がそれぞれ設けられており、前記合わせ面は前記本体ケースの後側部の内側の面と重なり合っている
請求項１〜７のいずれか一項に記載の加熱調理器。
【請求項９】
前記本体ケースを正面視した状態において、
前記本体ケースの後側部の左側の端部および右側の端部には、合わせ面がそれぞれ設けられており、
左側の前記合わせ面は前記本体ケースの左側部の内側の面と重なり合っており、右側の前記合わせ面は前記本体ケースの右側部の内側の面と重なり合っている
請求項１〜７のいずれか一項に記載の加熱調理器。
【請求項１０】
前記補強板には、固定用ネジ穴が設けられており、
前記合わせ面には第一合わせ面ネジ穴が設けられており、
前記本体ケースの前記合わせ面と重なり合う部分には、第二合わせ面ネジ穴が設けられており、
前記補強板の前記鉤部が前記本体ケースの前記受け部に挿入された状態で、前記固定用ネジ穴、前記第一合わせ面ネジ穴、および、前記第二合わせ面ネジ穴が重なり合う
請求項４または５に従属する請求項８または９に記載の加熱調理器。
【請求項１１】
前記補強板には、固定用ネジ穴が設けられており、
前記合わせ面には第一合わせ面ネジ穴が設けられており、
前記本体ケースの前記合わせ面と重なり合う部分には、第二合わせ面ネジ穴が設けられており、
前記仮合わせ用ネジ穴を介して前記ケース側部ネジ穴にネジ止めされた状態で、前記固定用ネジ穴、前記第一合わせ面ネジ穴、および、前記第二合わせ面ネジ穴が重なり合う
請求項６または７に従属する請求項８または９に記載の加熱調理器。
【発明の詳細な説明】
【技術分野】
【０００１】
本発明は、一般家庭の台所および業務用の厨房などに設置されるビルトイン型の加熱調理器に関するものである。
【背景技術】
【０００２】
従来、天板と本体ケースとで外郭が構成されたビルトイン型の加熱調理器がある（例えば、特許文献１参照）。特許文献１の加熱調理器では、天板の後方にはネジ穴が設けられており、本体ケースの後方の上端には一部を曲げ加工によって形成したネジ締結部が設けられており、ネジ締結部にネジ穴が設けられている。そして、天板のネジ穴を介してネジ締結部のネジ穴にネジ止めされることによって、天板が本体ケースに取り付けられている。
【０００３】
この加熱調理器は、一般家庭の台所および業務用の厨房などに設置されるものであり、外装箱、緩衝材などで保護された梱包状態でそれら設置場所に輸送される。
【先行技術文献】
【特許文献】
【０００４】
【特許文献１】特開２０１３−２０６５４１号公報
【発明の概要】
【発明が解決しようとする課題】
【０００５】
特許文献１に記載の加熱調理器は、設置場所への輸送時に、誤って落下させられてしまうことがあるが、仮に後方から落下させられてしまった場合、天板と外装箱との接触により天板に後方から外力が加わる。天板に後方から外力が加わると本体ケースのネジ締結部にも外力が加わってしまい、外力の大きさによってはネジ締結部が変形してしまう。そして、ネジ締結部が変形してしまうと外郭が変形することになり、商品価値が損なわれてしまうという課題があった。
【０００６】
本発明は、以上のような課題を解決するためになされたもので、外郭の変形を抑制した加熱調理器を提供することを目的としている。
【課題を解決するための手段】
【０００７】
本発明に係る加熱調理器は、上部が開口した箱体形状の本体ケースと、前記本体ケースの上部を覆う天板と、前記天板の下方に配置され、前記天板に載置された被加熱容器を加熱する加熱部と、前記本体ケースの後方の内側の隅部に設けられているＬ字形状の補強板と、を備えたものである。
【発明の効果】
【０００８】
本発明に係る加熱調理器によれば、本体ケースの後方の内側の隅部に補強板が設けられているため、本体ケースの強度を向上させることができ、外郭の変形を抑制することができる。
【図面の簡単な説明】
【０００９】
【図１】本発明の実施の形態１に係る加熱調理器の外観を示す斜視図である。
【図２】本発明の実施の形態１に係る加熱調理器の内部構成を示す斜視図である。
【図３】本発明の実施の形態１に係る加熱調理器の本体ケースの斜視図である。
【図４】図２の一点鎖線で囲まれた部分を拡大した図である。
【図５】本発明の実施の形態１に係る加熱調理器の補強板の斜視図である。
【図６】本発明の実施の形態１に係る加熱調理器の外観を示す平面図である。
【図７】図６のＡ−Ａ断面の矢視図である。
【図８】図７の一点鎖線で囲まれたＢ矢視部分を拡大した図である。
【図９】図７の一点鎖線で囲まれたＣ矢視部分を拡大した図である。
【図１０】本発明の実施の形態２に係る加熱調理器の本体ケースの斜視図である。
【図１１】図１０に示す本体ケースに補強板が取り付けられた状態の斜視図である。
【図１２】図１０の一点鎖線で囲まれた部分を拡大した図である。
【図１３】図１１の一点鎖線で囲まれた部分を拡大した図である。
【図１４】本発明の実施の形態２に係る加熱調理器の補強板の斜視図である。
【図１５】本発明の実施の形態３に係る加熱調理器の本体ケースに補強板が取り付けられた状態の斜視図である。
【図１６】図１５の一点鎖線で囲まれた部分を拡大した図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１１】
実施の形態１．
図１は、本発明の実施の形態１に係る加熱調理器１００の外観を示す斜視図である。図２は、本発明の実施の形態１に係る加熱調理器１００の内部構成を示す斜視図である。図３は、本発明の実施の形態１に係る加熱調理器１００の本体ケース２０の斜視図である。図４は、図２の一点鎖線で囲まれた部分を拡大した図である。図５は、本発明の実施の形態１に係る加熱調理器１００の補強板３０の斜視図である。図６は、本発明の実施の形態１に係る加熱調理器１００の外観を示す平面図である。図７は、図６のＡ−Ａ断面の矢視図である。図８は、図７の一点鎖線で囲まれたＢ矢視部分を拡大した図である。図９は、図７の一点鎖線で囲まれたＣ矢視部分を拡大した図である。
【００１２】
以下、図１〜図９に基づいて、本実施の形態１に係る加熱調理器１００の構成について説明する。
なお、以下の説明において、理解を容易にするために方向を表す用語、例えば「上」、「下」、「右」、「左」、「前」、「後」など、を適宜用いるが、これは説明のためのものであって、これらの用語は本願発明を限定するものではない。また、本実施の形態１では、加熱調理器１００を正面視した状態において、「上」、「下」、「右」、「左」、「前」、「後」などを使用する。
【００１３】
本実施の形態１に係る加熱調理器１００は、一般家庭の台所および業務用の厨房などに組み込まれるビルトイン型である。図１に示されるように、加熱調理器１００の外郭は、天板１０と本体ケース２０とで構成されている。天板１０は、結晶化ガラスにより構成される平板状のトッププレート１１と、このトッププレート１１を支持する支持枠１２とで構成されている。また、図３に示されるように、本体ケース２０は、上部が開口した箱体形状を有し、一枚の薄い金属製板を折り曲げて形成されている。また、天板１０は、本体ケース２０の開口した上部を覆う。
【００１４】
図１に示されるように、トッププレート１１の上面には、加熱調理を行う際に調理容器を置く位置を示す加熱部表示１３が表示されている。加熱部表示１３は、トッププレート１１の上面の左側前方および右側後方にそれぞれリング状に表示されており、後述する加熱部１の上方に位置している。
【００１５】
支持枠１２の上面の前側には、加熱調理器１００を操作する際に設定入力を行う操作部を示す表示である操作部表示１４が表示されている。操作部表示１４は、例えば、電源ＯＮ／ＯＦＦ、火力（出力）の調整、タイマー時間の設定／変更、などを示すキー表示である。この操作部表示１４は、図２に示されるように支持枠１２の下面側に設けられるタクトスイッチで構成された操作部スイッチ２の上方に位置している。つまり、加熱調理器１００の操作部は、操作部表示１４と操作部スイッチ２とで構成されている。
【００１６】
操作部スイッチ２は、支持枠１２の下面に近接して位置しており、使用者が操作部表示１４を押すことで、ＯＮまたはＯＦＦの信号を制御装置（図示せず）に出力する。
【００１７】
なお、本実施の形態１では、タクトスイッチで操作部スイッチ２が構成されているが、それに限定されず、静電容量スイッチで操作部スイッチ２が構成されていてもよい。
【００１８】
図２に示されるように、本体ケース２０の内部かつ加熱部表示１３の下方には、加熱部１が配置されている。加熱部１は、例えば誘導加熱コイルであり、インバーター（図示せず）より供給される電流により磁界を生じさせ、加熱部表示１３に置かれた被加熱容器である調理容器を誘導加熱する。
【００１９】
なお、本実施の形態１では、誘導加熱コイルで加熱部１が構成されているが、それに限定されず、電熱ヒーターで構成されていてもよい。
【００２０】
図３に示されるように、本体ケース２０の左側部２４および右側部２５には、開口部２５ｂがそれぞれ設けられている。また、図２に示されるように、本体ケース２０の内部には、その開口部２５ｂから一部が突出するように固定金具３が設けられている。固定金具３は、加熱調理器１００を一般家庭の台所および業務用の厨房などに設置する際に、固定するものである。
【００２１】
図３に示されるように、本体ケース２０の各側部（前側部２２、後側部２３、左側部２４、右側部２５）の上端部には、水平方向に外側に向かって延びるフランジ（前フランジ２２ａ、後フランジ２３ａ、左フランジ２４ａ、右フランジ２５ａ）がそれぞれ設けられている。
【００２２】
図１に示されるように、支持枠１２の後側には第一排気口１５ａが設けられている。また、図３に示されるように、本体ケース２０の後フランジ２３ａおよび後側部２３には、第二排気口１５ｂ、第三排気口１５ｃがそれぞれ設けられている。
【００２３】
また、本体ケース２０の底部２１には、吸気口２１ａが設けられている。この吸気口２１ａは、右側後方の加熱部１の下側に位置している。そして、冷却ファン（図示せず）によって吸気口２１ａから本体ケース２０の内部に導入された空気は、風路上に配置されている加熱部１および制御装置などの電子部品を冷却する。その後、空気は、第三排気口１５ｃから本体ケース２０の外部に排出され、最終的に第二排気口１５ｂ、第一排気口１５ａを通って一般家庭の台所および業務用の厨房などの設置空間に排出される。
【００２４】
図１に示されるように、支持枠１２の後側の左右およびその間には、第一ネジ穴４１が設けられている。また、図７および図８に示されるように、支持枠１２の前側には、引っ掛け部１９が設けられている。
【００２５】
また、図３に示されるように、天板１０の後方に設けられた天板側ネジ穴である第一ネジ穴４１の下方には、第二ネジ穴４２がそれぞれ後フランジ２３ａに設けられている。そして、支持枠１２の前方に設けられた引っ掛け部１９が本体ケース２０の前フランジ２２ａに引っ掛けられた状態で、第一ネジ穴４１を介して第二ネジ穴４２にネジ止めされることによって、天板１０が本体ケース２０に取り付けられている。このような構成により、天板１０および本体ケース２０の前方および後方が固定されている。
【００２６】
このように、天板１０および本体ケース２０の前方および後方を固定することで、天板１０を容易に本体ケース２０に固定することができ、組み立て性を向上させることができる。
【００２７】
また、本体ケース２０の左側部２４の後方、後側部２３の左側、後側部２３の右側、および、右側部２５の後方に、受け部２８ａ〜２８ｄがそれぞれ設けられている。以下、受け部２８ａ〜２８ｄの総称を受け部２８とする。この受け部２８は、前記各側部の一部が本体ケース２０の内側に向かって凹み、上部が開口した袋形状を有している。つまり、受け部２８は、本体ケース２０に一体形成されている。また、受け部２８は、平面視して凹形状を有している。
【００２８】
なお、本実施の形態１では、受け部２８は、本体ケース２０に一体形成されているとしたが、それに限定されず、例えば本体ケース２０の側部の内側に、上部が開口した平面視して凹形状の板金を取り付けて形成してもよい。
【００２９】
本体ケース２０の左側部２４の後側の端部および右側部２５の後側の端部には、合わせ面２９ａ、２９ｂがそれぞれ設けられている。それら合わせ面２９ａ、２９ｂは、後側部２３の内側の面とそれぞれ重なり合っている。
【００３０】
また、左側部２４および右側部２５の合わせ面２９ａ、２９ｂには、第三ネジ穴４３ａ、４３ｂがそれぞれ設けられており、後側部２３の合わせ面２９ａ、２９ｂと重なり合っている部分には、第四ネジ穴４４ａ、４４ｂがそれぞれ設けられている。以下、第三ネジ穴４３ａ、４３ｂの総称を第三ネジ穴４３とし、第四ネジ穴４４ａ、４４ｂの総称を第四ネジ穴４４とする。
【００３１】
同様に、本体ケース２０の左側部２４の前側の端部および右側部２５の前側の端部にも合わせ面（図示せず）および第三ネジ穴（図示せず）が設けられている。また、前側部２２の合わせ面と重なり合っている部分には、それぞれ第四ネジ穴（図示せず）がそれぞれ設けられている。
【００３２】
そして、第三ネジ穴４３を介して第四ネジ穴４４にネジ止めされることによって、各側部の位置が固定されている。
【００３３】
ここで、左側部２４および右側部２５に合わせ面２９が設けられていないと、一枚の薄い金属製板を折り曲げて本体ケース２０を形成する際に、本体ケース２０の隅部に隙間が生じてしまう。そして、本体ケース２０の隅部に隙間が生じると、本体ケース２０の内部から外部に熱気が漏れてしまい、一般家庭の台所および業務用の厨房などの設置空間が温度上昇してしまう。その結果、周囲に置かれている調味料の劣化、および、冷却ファンによる冷却効果の減少などを引き起こしてしまう。
【００３４】
そこで、上記のように本体ケース２０の左側部２４および右側部２５の前側の合わせ面と前側部２２、および、本体ケース２０の左側部２４および右側部２５の後側の合わせ面２９ａ、２９ｂと後側部２３とが重なり合う構成とする。そうすることで、一枚の薄い金属製板を折り曲げて本体ケース２０を形成する際に、本体ケース２０に隙間が生じるのを抑制している。
【００３５】
また、図２および図４に示されるように、本体ケース２０の後方の左隅部および右隅部には、補強板３０ａ、３０ｂがそれぞれ設けられている。つまり、補強板３０ａは、本体ケース２０の左側部２４から後側部２３にまたがって設けられており、補強板３０ｂは、本体ケース２０の右側部２５から後側部２３にまたがって設けられている。以下、補強板３０ａ、３０ｂの総称を補強板３０とする。補強板３０は、一枚の金属製板を折り曲げて形成されており、平面視してＬ字形状を有している。なお、補強板３０の形状は、平面視して厳密にＬ字形状でなくてもよい。また、補強板３０の金属製板は、強度を持たせるため、本体ケース２０の金属製板よりも厚くなっている。
【００３６】
図５に示されるように、左側の補強板３０ａの下端部の前側および右側には、下方に突出した鉤部３１ａ、３１ｂがそれぞれ設けられており、それら鉤部３１ａ、３１ｂの間には、第五ネジ穴４５ａが設けられている。また、図示省略するが、右側の補強板３０ｂの下端部の左側および前側には、下方に突出した鉤部がそれぞれ設けられており、それら鉤部の間には、第五ネジ穴が設けられている。以下、各鉤部の総称を鉤部３１とし、各第五ネジ穴の総称を第五ネジ穴４５とする。
【００３７】
そして、図２および図４に示されるように、補強板３０ａの鉤部３１ａ、３１ｂは、本体ケース２０の受け部２８ａ、２８ｂにそれぞれ挿入される。このとき、本体ケース２０の左側部２４の後側の合わせ面２９ａと、本体ケース２０の後側部２３の内側の面と、が仮合わせされ、第四ネジ穴４４ａ、第三ネジ穴４３ａ、および、第五ネジ穴４５ａが重なり合う。この状態で、図９に示されるように、第四ネジ穴４４ａおよび第三ネジ穴４３ａを介して第五ネジ穴４５ａにネジ止めされる。そうすることで、本体ケース２０の左側部２４および本体ケース２０の後側部２３の位置が固定されるとともに、補強板３０ａが本体ケース２０の内側の左隅部に固定される。
【００３８】
同様に、図２に示されるように、補強板３０ｂの鉤部は、本体ケース２０の受け部２８ｃ、２８ｄにそれぞれ挿入される。このとき、本体ケース２０の右側部２５の後側の合わせ面２９ｂと、本体ケース２０の後側部２３の内側の面と、が仮合わせされ、第四ネジ穴４４ｂ、第三ネジ穴４３ｂ、および、第五ネジ穴が重なり合う。この状態で、第四ネジ穴４４ｂおよび第三ネジ穴４３ｂを介して第五ネジ穴にネジ止めされることで、本体ケース２０の右側部２５および本体ケース２０の後側部２３の位置が固定されるとともに、補強板３０ｂが本体ケース２０の内側の右隅部に固定される。
【００３９】
このように、補強板３０ａ、３０ｂによって本体ケース２０の左側部２４および本体ケース２０の右側部２５の合わせ面２９と、本体ケース２０の後側部２３の内側の面と、を仮合わせする。そうすることで、本体ケース２０の左側部２４および本体ケース２０の右側部２５と、本体ケース２０の後側部２３と、補強板３０とを容易にネジ止めすることができ、組み立て性を向上させることができる。
【００４０】
また、図２および図４に示されるように、補強板３０ａ、３０ｂが本体ケース２０の内側に固定されている状態において、補強板３０ａ、３０ｂの上面は、鉛直方向に対して本体ケース２０の後側部２３の後フランジ２３ａの上面と同じ位置である。
【００４１】
ここで、補強板３０ａ、３０ｂの上面が、鉛直方向に対して本体ケース２０の後側部２３の後フランジ２３ａの上面よりも下方に位置している場合、補強板３０ａ、３０ｂの上面と後フランジ２３ａとの間の強度が弱くなり、その部分が変形しやすくなってしまう。また、補強板３０ａ、３０ｂの上面が、鉛直方向に対して本体ケース２０の後側部２３の後フランジ２３ａの上面よりも上方に位置している場合、天板１０を本体ケース２０に取り付ける際の妨げとなってしまう。
【００４２】
そこで、上記のように、鉛直方向に対して本体ケース２０の後側部２３の後フランジ２３ａの上面と同じ位置に補強板３０ａ、３０ｂを配置することで、鉛直方向において本体ケース２０の強度を向上させることができる。また、天板１０を本体ケース２０に取り付ける際の妨げとならないようにすることができる。
【００４３】
以上、本実施の形態１に係る加熱調理器１００は、上部が開口した箱体形状の本体ケース２０と、本体ケース２０の上部を覆う天板１０と、天板１０の下方に配置され、天板１０に載置された被加熱容器を加熱する加熱部１と、本体ケース２０の後方の内側の隅部に設けられているＬ字形状の補強板３０と、を備えたものである。
【００４４】
本実施の形態１に係る加熱調理器１００によれば、本体ケース２０の後方の内側の隅部に補強板３０が設けられているため、本体ケース２０の強度を向上させることができ、外郭の変形を抑制することができる。そのため、商品価値が損なわれてしまうのを抑制することができる。さらに、外郭の変形による、操作部表示１４と操作部スイッチ２とのずれを抑制することができるため、操作不具合の発生を抑制することができる。
【００４５】
また、本実施の形態１に係る加熱調理器１００において、天板１０は、前方に引っ掛け部１９が設けられており、後方に第一ネジ穴４１が設けられている。また、本体ケース２０は、前側部２２の上端部に前フランジ２２ａが設けられており、後側部２３の上端部に第二ネジ穴４２を有する後フランジ２３ａが設けられている。そして、天板１０は、引っ掛け部１９が前フランジ２２ａに引っ掛けられ、第一ネジ穴４１を介して第二ネジ穴４２にネジ止めされることによって、本体ケース２０に取り付けられる。
【００４６】
本実施の形態１に係る加熱調理器１００によれば、天板１０は、引っ掛け部１９が前フランジ２２ａに引っ掛けられ、第一ネジ穴４１を介して第二ネジ穴４２にネジ止めされることによって、本体ケース２０に取り付けられる。そのため、天板１０を容易に本体ケース２０に固定することができ、組み立て性を向上させることができる。
【００４７】
また、本実施の形態１に係る加熱調理器１００において、本体ケース２０の後側部２３の上端部には後フランジ２３ａが設けられており、補強板３０の上面は、鉛直方向に対して後フランジ２３ａの上面と同じ位置である。
【００４８】
本実施の形態１に係る加熱調理器１００によれば、補強板３０の上面は、鉛直方向に対して後フランジ２３ａの上面と同じ位置であるため、本体ケース２０の強度を向上させることができる。また、天板１０を本体ケース２０に取り付ける際の妨げとならないようにすることができる。
【００４９】
また、本実施の形態１に係る加熱調理器１００において、本体ケース２０の側部の内側には、平面視して凹形状の受け部２８が設けられている。また、補強板３０の下端部には、下方に突出し、受け部２８の開口に挿入される鉤部３１が設けられている。
【００５０】
本実施の形態１に係る加熱調理器１００によれば、補強板３０ｂの鉤部３１を本体ケース２０の受け部２８に挿入することで、本体ケース２０の側部同士を仮合わせすることができる。
【００５１】
また、本実施の形態１に係る加熱調理器１００において、本体ケース２０の左側部２４および本体ケース２０の右側部２５の後方の端部には、合わせ面２９がそれぞれ設けられており、合わせ面２９は本体ケース２０の後側部２３の内側の面と重なり合っている。
【００５２】
本実施の形態１に係る加熱調理器１００によれば、合わせ面２９は本体ケース２０の後側部２３の内側の面と重なり合っている。そのため、一枚の薄い金属製板を折り曲げて本体ケース２０を形成する際に、本体ケース２０に隙間が生じるのを抑制することができる。
【００５３】
また、本実施の形態１に係る加熱調理器１００において、補強板３０には、第五ネジ穴４５が設けられており、合わせ面２９には第三ネジ穴４３が設けられており、本体ケース２０の合わせ面２９と重なり合う部分には、第四ネジ穴４４が設けられている。そして、補強板３０の鉤部３１が本体ケース２０の受け部２８に挿入された状態で、第五ネジ穴４５、第三ネジ穴４３、および、第四ネジ穴４４が重なり合う。
【００５４】
本実施の形態１に係る加熱調理器１００によれば、補強板３０の鉤部３１が本体ケース２０の受け部２８に挿入された状態で、第五ネジ穴４５、第三ネジ穴４３、および、第四ネジ穴４４が重なり合う。そのため、本体ケース２０の左側部２４および本体ケース２０の右側部２５と、本体ケース２０の後側部２３と、補強板３０とを容易にネジ止めすることができ、組み立て性を向上させることができる。
【００５５】
実施の形態２．
以下、本発明の実施の形態２について説明するが、実施の形態１と重複するものについては説明を省略し、実施の形態１と同じ部分または相当する部分には同じ符号を付す。
【００５６】
図１０は、本発明の実施の形態２に係る加熱調理器１００の本体ケース２０の斜視図である。図１１は、図１０に示す本体ケース２０に補強板３０が取り付けられた状態の斜視図である。図１２は、図１０の一点鎖線で囲まれた部分を拡大した図である。図１３は、図１１の一点鎖線で囲まれた部分を拡大した図である。図１４は、本発明の実施の形態２に係る加熱調理器１００の補強板３０の斜視図である。
【００５７】
以下、図１０〜図１４に基づいて、本実施の形態２に係る加熱調理器１００の構成について説明する。
図１０および図１２に示されるように、本体ケース２０の後側部２３の左側の端部および右側の端部には、合わせ面２９ａ、２９ｂがそれぞれ設けられている。それら合わせ面２９ａ、２９ｂは、左側部２４の内側の面および右側部２５の内側の面とそれぞれ重なり合っている。
【００５８】
また、後側部２３の合わせ面２９ａ、２９ｂには、第三ネジ穴４３ａ、４３ｂがそれぞれ設けられており、左側部２４および右側部２５の合わせ面２９ａ、２９ｂと重なり合っている部分には、第四ネジ穴４４ａ、４４ｂがそれぞれ設けられている。以下、第三ネジ穴４３ａ、４３ｂの総称を第三ネジ穴４３とし、第四ネジ穴４４ａ、４４ｂの総称を第四ネジ穴４４とする。
【００５９】
同様に、本体ケース２０の左側部２４の前側の端部および右側部２５の前側の端部にも合わせ面（図示せず）および第三ネジ穴（図示せず）が設けられている。また、前側部２２の合わせ面と重なり合っている部分には、それぞれ第四ネジ穴（図示せず）がそれぞれ設けられている。
【００６０】
そして、第三ネジ穴４３を介して第四ネジ穴４４にネジ止めされることによって、各側部の位置が固定されている。
【００６１】
また、図１１および図１３に示されるように、本体ケース２０の後方の左隅部および右隅部には、補強板３０ａ、３０ｂがそれぞれ設けられている。以下、補強板３０ａ、３０ｂの総称を補強板３０とする。補強板３０は、一枚の金属製板を折り曲げて形成されており、平面視してＬ字形状を有している。なお、補強板３０の形状は、平面視して厳密にＬ字形状でなくてもよい。また、補強板３０の金属製板は、強度を持たせるため、本体ケース２０の金属製板よりも厚くなっている。
【００６２】
図１４に示されるように、左側の補強板３０ａの下端部の前側および右側には、下方に突出した鉤部３１ａ、３１ｂがそれぞれ設けられており、それら鉤部３１ａ、３１ｂの間には、第五ネジ穴４５ａが設けられている。また、図示省略するが、右側の補強板３０ｂの下端部の左側および前側には、下方に突出した鉤部がそれぞれ設けられており、それら鉤部の間には、第五ネジ穴が設けられている。以下、各鉤部の総称を鉤部３１とし、各第五ネジ穴の総称を第五ネジ穴４５とする。
【００６３】
そして、図１１および図１３に示されるように、補強板３０ａの鉤部３１ａ、３１ｂは、本体ケース２０の受け部２８ａ、２８ｂにそれぞれ挿入される。このとき、本体ケース２０の後側部２３の左側の合わせ面２９ａと、本体ケース２０の左側部２４の内側の面と、が仮合わせされ、第四ネジ穴４４ａ、第三ネジ穴４３ａ、および、第五ネジ穴４５ａが重なり合う。この状態で、第四ネジ穴４４ａおよび第三ネジ穴４３ａを介して第五ネジ穴４５ａにネジ止めされることで、本体ケース２０の左側部２４および本体ケース２０の後側部２３の位置が固定されるとともに、補強板３０ａが本体ケース２０の内側の左隅部に固定される。
【００６４】
同様に、図１１に示されるように、補強板３０ｂの鉤部は、本体ケース２０の受け部２８ｃ、２８ｄにそれぞれ挿入される。このとき、本体ケース２０の右側部２５の後側の合わせ面２９ｂと、本体ケース２０の後側部２３の内側の面と、が仮合わせされ、第四ネジ穴４４ａ、第三ネジ穴４３ａ、および、第五ネジ穴が重なり合う。この状態で、第四ネジ穴４４ａおよび第三ネジ穴４３ａを介して第五ネジ穴にネジ止めされることで、本体ケース２０の右側部２５および本体ケース２０の後側部２３の位置が固定されるとともに、補強板３０ｂが本体ケース２０の内側の右隅部に固定される。
【００６５】
以上より、本実施の形態２では、合わせ面２９、第三ネジ穴４３、第四ネジ穴４４、および、第五ネジ穴４５が設けられている位置が、実施の形態１と異なっているが、実施の形態１と同様の効果を得ることができる。
【００６６】
このように、補強板３０ａ、３０ｂによって本体ケース２０の左側部２４および本体ケース２０の右側部２５の合わせ面２９と、本体ケース２０の後側部２３の内側の面と、を仮合わせする。そうすることで、本体ケース２０の左側部２４および本体ケース２０の右側部２５と、本体ケース２０の後側部２３と、補強板３０とを容易にネジ止めすることができ、組み立て性を向上させることができる。
【００６７】
また、補強板３０ａ、３０ｂが本体ケース２０の内側に固定されている状態において、補強板３０ａ、３０ｂの上面は、鉛直方向に対して本体ケース２０の後側部２３の後フランジ２３ａの上面と同じ位置である。
【００６８】
上記のように、鉛直方向に対して本体ケース２０の後側部２３の後フランジ２３ａの上面と同じ位置に補強板３０ａ、３０ｂを配置することで、鉛直方向において本体ケース２０の強度を向上させることができる。また、天板１０を本体ケース２０に取り付ける際の妨げとならないようにすることができる。
【００６９】
以上、本実施の形態２に係る加熱調理器１００において、本体ケース２０の後側部２３の左側の端部および右側の端部には、合わせ面２９ａ、２９ｂがそれぞれ設けられている。そして、左側の合わせ面２９ａは本体ケース２０の左側部２４の内側の面と重なり合っており、右側の合わせ面２９ｂは本体ケース２０の右側部２５の内側の面と重なり合っている。
【００７０】
本実施の形態２に係る加熱調理器１００によれば、合わせ面２９ａ、２９ｂは、左側部２４の内側の面および右側部２５の内側の面とそれぞれ重なり合っている。そのため、一枚の薄い金属製板を折り曲げて本体ケース２０を形成する際に、本体ケース２０に隙間が生じるのを抑制することができる。
【００７１】
実施の形態３．
以下、本発明の実施の形態３について説明するが、実施の形態１と重複するものについては説明を省略し、実施の形態１と同じ部分または相当する部分には同じ符号を付す。
【００７２】
図１５は、本発明の実施の形態３に係る加熱調理器１００の本体ケース２０に補強板３０が取り付けられた状態の斜視図である。図１６は、図１５の一点鎖線で囲まれた部分を拡大した図である。
【００７３】
以下、図１５および図１６に基づいて、本実施の形態３に係る加熱調理器１００の構成について説明する。
【００７４】
図１５および図１６に示されるように、本体ケース２０の後方の左隅部および右隅部には、補強板３０ａ、３０ｂがそれぞれ設けられている。以下、補強板３０ａ、３０ｂの総称を補強板３０とする。補強板３０は、一枚の金属製板を折り曲げて形成されており、平面視してＬ字形状を有している。なお、補強板３０の形状は、平面視して厳密にＬ字形状でなくてもよい。また、補強板３０の金属製板は、強度を持たせるため、本体ケース２０の金属製板よりも厚くなっている。
【００７５】
図１６に示されるように、左側の補強板３０ａの下方の前側および右側には、第六ネジ穴４６ａ、４６ｂがそれぞれ設けられており、それら第六ネジ穴４６ａ、４６ｂの間には、第五ネジ穴４５ａが設けられている。また、本体ケース２０の左側部２４の後側および本体ケース２０の後側部２３の左側には、第七ネジ穴４７ａ、４７ｂがそれぞれ設けられている。
【００７６】
また、図示省略するが、右側の補強板３０ｂの下方の左側および前側には、第六ネジ穴がそれぞれ設けられており、それら第六ネジ穴の間には、第五ネジ穴が設けられている。また、本体ケース２０の後側部２３の右側および本体ケース２０の右側部２５の後側には、第七ネジ穴がそれぞれ設けられている。以下、各第五ネジ穴の総称を第五ネジ穴４５とし、各第六ネジ穴の総称を第六ネジ穴４６とし、各第七ネジ穴の総称を第七ネジ穴４７とする。
【００７７】
そして、図１６に示されるように、本体ケース２０の左側部２４の後方に第六ネジ穴４６ａ、本体ケース２０の後側部２３の左隅部に第六ネジ穴４６ｂを介して第七ネジ穴４７ａ、４７ｂにネジ止めされることで、本体ケース２０の左側部２４の後側の合わせ面２９ａと、本体ケース２０の後側部２３の内側の面と、が仮合わせされる。そして、第四ネジ穴４４ａ、第三ネジ穴４３ａ、および、第五ネジ穴４５ａが重なり合う。この状態で、第四ネジ穴４４ａおよび第三ネジ穴４３ａを介して第五ネジ穴４５ａにネジ止めされることで、本体ケース２０の左側部２４および本体ケース２０の後側部２３の位置が固定されるとともに、補強板３０ａが本体ケース２０の内側の左隅部に固定される。
【００７８】
同様に、本体ケース２０の後側部２３の右隅部に第六ネジ穴を介して第七ネジ穴にネジ止めされることで、本体ケース２０の右側部２５の後側の合わせ面２９ｂと、本体ケース２０の後側部２３の内側の面と、が仮合わせされる。この状態で、第四ネジ穴４４ｂおよび第三ネジ穴４３ｂを介して第五ネジ穴にネジ止めされることで、本体ケース２０の右側部２５および本体ケース２０の後側部２３の位置が固定されるとともに、補強板３０ｂが本体ケース２０の内側の右隅部に固定される。
【００７９】
以上より、本実施の形態３では、鉤部３１の代わりに第六ネジ穴４６が設けられており、受け部２８の代わりに第七ネジ穴４７が設けられている点が、実施の形態１と異なっているが、実施の形態１と同様の効果を得ることができる。
【００８０】
このように、補強板３０ａ、３０ｂによって本体ケース２０の左側部２４および本体ケース２０の右側部２５の合わせ面２９と、本体ケース２０の後側部２３の内側の面と、を仮合わせする。そうすることで、本体ケース２０の左側部２４および本体ケース２０の右側部２５と、本体ケース２０の後側部２３と、補強板３０とを容易にネジ止めすることができ、組み立て性を向上させることができる。
【００８１】
また、補強板３０ａ、３０ｂが本体ケース２０の内側に固定されている状態において、補強板３０ａ、３０ｂの上面は、鉛直方向に対して本体ケース２０の後側部２３の後フランジ２３ａの上面と同じ位置である。
【００８２】
上記のように、鉛直方向に対して本体ケース２０の後側部２３の後フランジ２３ａの上面と同じ位置に補強板３０ａ、３０ｂを配置することで、鉛直方向において本体ケース２０の強度を向上させることができる。また、天板１０を本体ケース２０に取り付ける際の妨げとならないようにすることができる。
【００８３】
以上、本実施の形態３に係る加熱調理器１００において、本体ケース２０の側部には、第七ネジ穴４７が設けられており、補強板３０には、第六ネジ穴４６が設けられている。そして、補強板３０は、第六ネジ穴４６を介して第七ネジ穴４７にネジ止めされる。
【００８４】
本実施の形態３に係る加熱調理器１００によれば、第六ネジ穴４６を介して第七ネジ穴４７にネジ止めすることで、本体ケース２０の側部同士を仮合わせすることができる。
【００８５】
また、本実施の形態３に係る加熱調理器１００において、補強板３０には、第五ネジ穴４５が設けられており、合わせ面２９には第三ネジ穴４３が設けられており、本体ケース２０の合わせ面２９と重なり合う部分には、第四ネジ穴４４が設けられている。そして、補強板３０が、第六ネジ穴４６を介して第七ネジ穴４７にネジ止めされた状態で、第五ネジ穴４５、第三ネジ穴４３、および、第四ネジ穴４４が重なり合う。
【００８６】
本実施の形態３に係る加熱調理器１００によれば、第六ネジ穴４６を介して第七ネジ穴４７にネジ止めされた状態で、第五ネジ穴４５、第三ネジ穴４３、および、第四ネジ穴４４が重なり合う。そのため、本体ケース２０の左側部２４および本体ケース２０の右側部２５と、本体ケース２０の後側部２３と、補強板３０とを容易にネジ止めすることができ、組み立て性を向上させることができる。
【００８７】
なお、第一ネジ穴４１は、本発明の「天板側ネジ穴」に相当し、第二ネジ穴４２は、本発明の「後フランジのネジ穴」に相当し、第七ネジ穴４７は、本発明の「ケース側部ネジ穴」に相当し、第六ネジ穴４６は、本発明の「仮合わせ用ネジ穴」に相当する。また、第五ネジ穴４５は、本発明の「固定用ネジ穴」に相当し、第三ネジ穴４３は、本発明の「第一合わせ面ネジ穴」に相当し、第四ネジ穴４４は、本発明の「第二合わせ面ネジ穴」に相当する。
【符号の説明】
【００８８】
１  加熱部、２  操作部スイッチ、３  固定金具、１０  天板、１１  トッププレート、１２  支持枠、１３  加熱部表示、１４  操作部表示、１５ａ  第一排気口、１５ｂ  第二排気口、１５ｃ  第三排気口、１９  引っ掛け部、２０  本体ケース、２１  底部、２１ａ  吸気口、２２  前側部、２２ａ  前フランジ、２３  後側部、２３ａ  後フランジ、２４  左側部、２４ａ  左フランジ、２５  右側部、２５ａ  右フランジ、２５ｂ  開口部、２８  受け部、２８ａ〜２８ｄ  受け部、２９  合わせ面、２９ａ〜２９ｂ  合わせ面、３０  補強板、３０ａ〜３０ｂ  補強板、３１  鉤部、３１ａ〜３１ｂ  鉤部、４１  第一ネジ穴、４２  第二ネジ穴、４３  第三ネジ穴、４３ａ〜４３ｂ  第三ネジ穴、４４  第四ネジ穴、４４ａ〜４４ｂ  第四ネジ穴、４５  第五ネジ穴、４５ａ  第五ネジ穴、４６  第六ネジ穴、４６ａ〜４６ｂ  第六ネジ穴、４７  第七ネジ穴、４７ａ〜４７ｂ  第七ネジ穴、１００  加熱調理器。
【図１】
2019074294.tif 000003
【図２】
2019074294.tif 000004
【図３】
2019074294.tif 000005
【図４】
2019074294.tif 000006
【図５】
2019074294.tif 000007
【図６】
2019074294.tif 000008
【図７】
2019074294.tif 000009
【図８】
2019074294.tif 000010
【図９】
2019074294.tif 000011
【図１０】
2019074294.tif 000012
【図１１】
2019074294.tif 000013
【図１２】
2019074294.tif 000014
【図１３】
2019074294.tif 000015
【図１４】
2019074294.tif 000016
【図１５】
2019074294.tif 000017
【図１６】
2019074294.tif 000018